Podtech/llm-jp-corpus-v4-ja_patent huggingface dataset:
(57)【要約】【課題】お茶又は清涼飲料水等を販売する容器にコミュニケーション機能及びメディア機能を具備した包装材（シュリンク）を捲着し、もって多目的に転用可能とし、併せて、ポイ捨てを防止しすると共に、ゴミ廃棄量を緩和する。【構成】加熱収縮する包装材の表面の一部に商品イメージを象徴表現するモチーフデザイン及び商標並び地域特定文字を施し、その周辺部に商品説明及びモチーフデザインの解説を記載すると共に、観光地のイラストマップ又は観光スポット写真又はイベント写真群を印刷し、併せて地域のホテル、旅館、料理店、物産店の広告スペースを設けて宣伝広告媒体機能を具備させ、もって特定地域の観光を宣伝すると同時に、広告スポンサーの募集をすることができるように構成した該包装材を、容器に捲着したことを特徴とするメディア機能を具備する包装材を捲着した容器。【選択図】図１
2008273616.tif 000002
【特許請求の範囲】
【請求項１】
加熱収縮する包装材の表面の一部に商品イメージを象徴表現するモチーフデザイン及び商標並びに地域特定文字を施し、その周辺部に商品説明及びモチーフデザインの解説を記載すると共に、観光地のイラストマップ又は観光スポット写真又はイベント写真群を印刷して、容器に記念品的機能を付加し、併せて地域のホテル、旅館、料理店、物産店の広告スペースを設けて宣伝広告媒体機能を付加することにより、もって特定地域の観光を宣伝すると同時に、広告スポンサーの募集をすることができるように構成した該包装材を、容器に捲着したことを特徴とするメディア機能を具備する包装材を捲着した容器。
【請求項２】
請求項１の包装材は、加熱収縮プラスチックフィルムであることを特徴とするメディア機能を具備する包装材を捲着した容器。
【発明の詳細な説明】
【技術分野】
【０００１】  本発明は、ペットボトル等の容器の外装に装着する包装材（シュリンク）等にメディア性を持たせ、よって容器に広告宣伝機能及び記念品的機能を具備させた容器に関するものである。
【背景技術】
【０００２】  従来技術においては、容器の内容物を製造又は販売する事業者の商標と内容物を表示するだけの機能しかなく、出所表示・品質表示機能を表す所謂商標的機能のみであった。
【発明が解決しようとする課題】
【０００３】  従来技術によれば、容器、特にペットボトルはお茶又は清涼飲料水或いは天然水を販売するための単なる容器であり、その外装であるシュリンク等の包装材は商標的機能があるだけのものであった。このため、内容物を飲んだ後の容器は価値がないものとし、大量のリサイクルゴミとして処分されることになり、特にペットボトルにおいては大量に使用され投棄されることから、極めて厄介な物として社会問題になっている。そこで、これ等の容器をどのようにリサイクルし再利用するかが課題となっている。
【課題を解決するための手段】
【０００４】  前記の課題を解決するために、発明者はリサイクル処理をする前段階で、容器の使用者が使用後にゴミとして投棄することを緩和し、ポイ捨てを極力防止するために次の手段を講ずることとした。
１、容器に記念品的機能を付加すること。
２、容器をリサイクルせず、他の使用目的にも利用できる多目的機能を付加すること。
３、製造又は販売事業者の商標的機能のみならず、併せて地域振興のための観光資源やイベント、又は物産情報を発信できるコミュニケーション機能を付加しメディア化を図ること。
４、他事業業者のための広告宣伝媒体としての機能を付加すること。
【発明の効果】
【０００５】  例えば、ペットボトルに熊野古道の名水湧き水をボトリングし、ペットボトルの容器の外装たるシュリンクの表面に、その水の特性を象徴するモチーフデザイン（写真又はイラストでもよい）及び商標となるべきモチーフ文字及び観光イラストマップや観光スポット写真群、或いはイベント写真群を印刷したデザインを複合的に組み合わせることによって、世界遺産熊野古道を訪れた観光客がその水を飲みながらイラストマップを参照しつつ熊野古道を歩き、併せてシュリンク表面に印刷された写真によって、古道の有名王子の姿や歴史を知ってもらうことができるために、そのペットボトルは記念品的機能を発揮することになり、その結果、使用後に本来ならばリサイクルゴミとして廃棄された容器が、多用途、例えば一輪挿しや他の内容物に詰め変えて使用するなどで再利用される可能性が高くなり、ポイ捨てに歯止めが掛かり又ゴミとして廃棄される量が緩和される効果が生ずる。また、これ等のデザインを施したシュリンクを装着したペットボトルを、全国ネットの販売拠点に配置し販売することによって、その観光地を広く一般大衆に周知させることができ、このコミュニケーション機能によって観光誘致の効果が生ずる。更には、他事業者の宣伝広告、例えばホテル、旅館、料理店用の広告スペースを設け、又は観光スポット写真を事業者の宣伝写真に差し替えることにより、宣伝広告媒体としてのメディア効果が生じると共に、スポンサーによる経済的効果が生じる。即ち要約すれば容器に総合的なメディア機能と記念品機能という効果が生ずるものである。
【発明を実施するための最良の形態】
【０００６】  本発明を図１の実施例Ａについて説明する。１は加熱収縮する包装材であって、平面に展開したものである。２は包装材上部中央に配置したモチーフデザイン（モチーフは写真又はイラストであってもよい）であって、熊野古道高原霧の郷から雲海に浮かぶ果無山脈を遠望した写真である。３は前記モチーフデザインの枠内に配置したモチーフ文字たる「悠久」なる文字商標であり、併せて内容物を示す「天然水」の名称を併記したものである。４は内容物の特徴を示す説明書きであり、モチーフデザイン２の上部にその観光地を表す「世界遺産熊野古道」なる地域特定文字５を配置し、その左側に熊野本宮大社の象徴マークたる「咫烏」６（使用許諾済み）右側に世界遺産の指定マーク７をそれぞれ配したものである。９は包装材の下半分のスペースに掲載した熊野古道の観光イラストマップである。又図面２の実施例Ｂは、前記の熊野古道のイラストマップ９を熊野本宮大社のイベント写真群８に置換したものである。１０はスポンサー広告スペースであり、該広告スペース１０はイベント写真群８の内の一部を除外して広告スペースに置換することができる。１１は成分分析表である。１２は製造又は販売事業者の所在地・名称等の表示欄である。
【図面の簡単な説明】
【０００７】
【図１】実施例Ａの包装材の平面展開図である。
【図２】実施例Ｂの包装材の平面展開図である。
【図３】実施例Ｂの包装材を容器に捲着した状態で容器の態様を示す正面図である。
【図４】実施例Ａの包装材を容器に捲着した状態で容器の態様を示す正面図である。
【符号の説明】
【０００８】  １、包装材
２、モチーフデザイン
３、文字商標
４、説明書き
５、地域特定文字
６、象徴マークたる「咫烏」
７、世界遺産の指定マーク
８、イベント写真群
９、観光イラストマップ
１０、広告スペース
１１、成分分析表
１２、製造又は販売事業者の所在地・名称等の表示欄
【図１】
2008273616.tif 000003
【図２】
2008273616.tif 000004
【図３】
2008273616.tif 000005
【図４】
2008273616.tif 000006
(57)【要約】【課題】ポリエチレンやビニール製の大型袋に関し、その開口部に、閉じ紐を付設することは、手間を要し高いコストを伴うこと。【解決手段】ポリエチレン樹脂など、広幅のチューブ状のフィルムを縦方向に、四の倍数で折り重ねたまま片方を溶着させて底にした袋を利用する。この重ねて扁平となった袋の片方（開口部側）の中央位置に、一箇所、円形の穴を、プレスカットして作り、その穴に紐を差し込むという、一作業だけで、袋を開けば、紐は袋の外周に一定間隔で穴の、内外、内外と出入りすることとなり、紐による袋の開口部の開閉が自在となる。【選択図】図４
2008273614.tif 000002
【特許請求の範囲】
【請求項１】
袋の開閉用の紐通しを簡単に行うために、縦方向に四の倍数折りした袋を利用すること。
【請求項２】
袋の開閉用の紐通しを簡単に行うために、袋を縦方向に折り重ねたまま、開口部付近の中央部に紐通し用の穴をあけること。
【請求項３】
紐通しを、一作業で行うために、折り重ねたままで作られた袋の穴に、紐を通すこと。
【発明の詳細な説明】
【技術分野】
【０００１】本発明は、買物品などを収納するポリエチレン製等（以下ポリ袋という）の袋について、袋の開口部の開閉用の紐通しの方法に関するものである。袋の開口部の閉じ方には、種々あるが、本考案は紐を用いる場合である。
【背景技術】
【０００２】ポリ袋の最大の需要先はスーパーマーケットである。このポリ袋を、この業界ではレジ袋と呼称している。地球温暖化対策のために、政府はレジ袋の大幅削減を定め、業界等を指導している。
【発明の開示】
【発明が解決しようとする課題】
【０００３】レジ袋の消費量は年間にして３００億枚といわれる。この大幅削減策としては、消費者に、所謂マイバックを用いることを奨励、達成しようとし、政府もＰＲしている。本考案は、このマイバックを従来のポリ袋と同様の材質で、大型化することによって、達成できることを見出した。即ち、現在スーパーマーケットで使われるレジ袋の代表的なサイズは、袋の外周が９０ｃｍ、探さは４０ｃｍ前後である。この場合の収容体積は２２ｌ、袋に使用される樹脂量は９ｇである。この袋の収容量を４倍の９０ｌにすると、袋の外周は１６０ｃｍ深さは５０ｃｍとなる。このとき使用する樹脂の量は袋の表面積から計算して、１６ｇとなる。これを容積当りにすれば、現在流通しているレジ袋が０．４１ｇ／ｌであるのに対し、前記例の大型袋では０．１８ｇ／ｌとなり、袋の大型化の省資源効果は歴然である。【０００４】袋の大型化は省資源の有効な手段であるが、課題は袋の開口部の開閉法である。袋を紐で開閉するとすれば、袋の縁（耳）に紐通しの手立てが為さなければならない。即ち繊維加工業界で謂う、ループ（ＬＯＯＰ）とか乳（ち）と呼ばれる紐通しを支えるものが必要であり、鳩目なども、その一例である。この紐通しは、袋の荷重が均一にかかるよう、袋の外周に、一定間隔で設けられなければならない。さらに大型袋の場合は袋が長く（深く）手で下げるよりは、肩かけ（ショルダー）式の方が望まれる。
【課題を解決するための手段】
【０００５】この課題を解決するための請求項１の発明は、広幅のチューブ状のフィルムを縦方向に、四つ折りや八つ折り十六折り等、四の倍数で折り重ね、夫々片方を溶着（袋の底になる）する。フィルムの折り畳み方は、図２の方法に限られる。この方法によって製造されるポリ袋は業界で謂う丸底袋と呼ばれるもので、一般には図２（２）に示すように八つ折りで行われている。（参考  実用新案登録２５３７６５１号）例えば、袋の外周１６０ｃｍの袋は八つ折りで幅が２０ｃｍになるわけであり、袋の深さを５０ｃｍとすれば短冊形となる。【０００６】請求項２の発明は、前項で説明した短冊形の、袋の開口部側（上部）の中央の、一定位置（図３）に一箇所、円形の穴をプレスでカットする。八つ折りの場合、８枚のフィルムに一度で穴が開き、これが紐通しの穴（鳩目）である。穴は袋の外周に同間隔で８個できている。【０００７】請求項３の発明は、前項で説明した、短冊状に畳まれた袋の穴に、図４に示すように、紐を差し込むことである。袋を開けば明瞭だが、差し込まれた紐は８箇所の穴を、内外内外と図５に示すように出入りして巡る。図６に示すように紐の先端を結んで、対角方向に引っ張れば、袋の開閉が自在になる。紐の長さは袋の外周の長さを超える。
【発明の効果】
【０００８】本発明により、紐通しが極めて簡単な作業で完成する。所謂ループや鳩目加工の手間が不要となった。【０００９】本発明により袋の開口部の開け閉めが便利になった。【００１０】本発明において、紐の長さを加減すれば、紐は袋の開閉の用のみならず、肩かけ用の紐となる。つまりポリ袋は簡易なショルダーバックとなる。肩がけは、両手が自由になるので、高齢者には特に好まれる。
【発明を実施するための最良の状態】
【００１１】図１は袋の斜視図であり、袋の折り畳み方を示している。この折り畳み方以外、本発明は適用できない。フィルムチューブは折り重ねの回数を増やす程、穴数は増え、袋の閉じは密となるが、生産上、八つ折りの利用価値が高い。現実に流通しているからである。
【００１２】本考案で利用できる素材は、ポリエチレンフィルムのほか、ポリプロピレンやポリエステル、ビニールでもよく、これらの素材の不織布でも利用可能である。
【産業上の利用可能性】
【００１３】本考案によれば紐通しの方法が極めて簡単で加工費が安くなる。その上、袋は一般に流通しているポリ袋であり、工業的に大量に低コストで生産されているものを使い、加工（穴あけと紐通し）するものである。【００１４】袋は大型といえども、一枚１６ｇ程度と軽く、小さく折り畳め、ハンドバック等にしまい、携行しても邪魔にならない。【００１５】レジ袋の削減策は、地球温暖化対策の一環で、大切な施策である。何故なら、レジ袋の行き先は、家庭でのゴミ袋としての利用に止まっており、リユースやリサイクルされていない。このゴミ袋としての利用も、自治体の多くが指定袋制度を採用していることから、レジ袋は家庭ゴミの一時的な収納袋であり、その排出には結局、指定袋に納まる運命である。しかるに、本考案によれば、繰り返し使用を可能にし、省資源に貢献するものである。
【図面の簡単な説明】
【００１６】
【図１】チューブ状のフィルムの斜視図である。
【図２】チューブ状のフィルムを八つ折りして制作された袋の斜視図を示す。
【図３】折り重ねたポリ袋の中央位置に円形の穴をあける。
【図４】袋にあけた穴に紐を差し込んだ状態を示す。
【図５】紐を通した八つ折り袋の口を開いた状態を示す。
【図６】図５において、袋を閉じるための紐の操作方向を示す。
【符号の説明】
【００１７】（１）八つ折り袋の斜視図。
（２）八つ折り袋の上部より視た図。
【図１】
2008273614.tif 000003
【図２】
2008273614.tif 000004
【図３】
2008273614.tif 000005
【図４】
2008273614.tif 000006
【図５】
2008273614.tif 000007
【図６】
2008273614.tif 000008
(57)【要約】【課題】  一般家庭で簡単に吹き付け作業ができ人体や環境に安全でまた低コストであり、さらに光触媒能力を高めた光触媒内容液材料を作るのが目的である。【解決手段】  硬化後通気性のある植物性セルロースをバインダーに利用することによりアパタイト担持光触媒粒子を効率よく反応させ、また即効性の殺菌・脱臭能力を発揮させるためにエチルアルコールを混合し霧吹きスプレー等で吹き付け作業できる光触媒内容液を開発した。【選択図】図２
2008095058.tif 000002
【特許請求の範囲】
【請求項１】
アパタイト担持光触媒粒子とエチルアルコールを混合し植物性セルロースをバインダーに利用した光触媒内容液材料
【請求項２】
前記内容液に対し、天然植物を原料とする安全性が高いセルロースの硬化後の通気性を利用していることを特徴とする請求項１に記載の光触媒内容液材料。
【請求項３】
前記内容液に対し、エチルアルコールを混合することにより、セルロースのバインダーが硬化し、光触媒粒子が十分に光を浴びて効果を発揮するまでの間、塗布時における殺菌・脱臭を特徴とする請求項１に記載の光触媒内容液材料。
【発明の詳細な説明】
【技術分野】
【０００１】  本発明はアパタイト担持光触媒粒子に植物性セルロースとエチルアルコールを均一に混合した光触媒内容液材料に関するものである。
【背景技術】
【０００２】  従来における光触媒材料塗布における問題点は、光触媒粒子が混合するバインダーを触媒し、光触媒粒子を基材に定着できない。そのため、使用できるバインダーが限定されていた。また光触媒粒子が基材に接触すると基材も触媒されてボロボロになるので、光触媒材料の下に触媒されない無機質材料の下塗りが必要になる。さらに効率よく光触媒粒子を表面に突出させなければならないため、塗布方法も複雑で特殊なものになる。このような理由から一般家庭においては光触媒材料を入手することは難しく、施工代金や材料代金が高額になる。
また光触媒粒子に分解されず、有機物質を吸着する特性のアパタイトを担持させ光触媒粒子が直接基材に接触しないように、アパタイトをスペーサーと吸着材料に利用する材料もあるが、塗布時における溶剤被覆により、アパタイトが密封されその能力を十分に発揮できない。さらに塗布直後に光触媒粒子はすぐに反応しないし、またバインダーが硬化していないため、塗布後光触媒効果が現れるのに数日かかっていた。
【発明の開示】
【発明が解決しようとする課題】
【０００３】  本発明は、その欠点をなくすために、硬化後通気性のある植物性セルロースをバインダーに利用することにより、アパタイト担持光触媒粒子を効率よく反応させ、またエチルアルコールを混合することにより殺菌・脱臭の即効性を高めた。製造コストを下げ、環境や人体に安全である光触媒内容液を提供することを課題とし研究をすすめた。
【課題を解決するための手段】
【０００４】  アパタイト担持光触媒粒子を使用することにより、アパタイト（２）がスペーサーとなり光触媒粒子（１）が直接基材（４）に接触しないため、基材への影響がない。材料塗布時に光触媒粒子（１）に被覆される植物性セルロース（３）は光をあびると効率よく分解されるので光触媒粒子（１）の表面積を多く突出することができる。
そのため、特殊な塗装機器や塗装方法で塗布する必要がない。アパタイト（２）に被覆したバインダーは分解されないので基材（４）と光触媒粒子（１）を結びつける役割をする。
また植物性セルロース（３）は硬化しても通気性があるのでアパタイト（２）が有機物質を効率よく吸収し、光触媒粒子が有機物を分解することを発見した。
【発明の効果】
【０００５】  本発明は以上のような構成であるため、光触媒材料塗布工程は短略化され、一般の家庭においても霧吹き等で簡単に塗布作業ができる。施工会社に依頼せずにできるのでコストを下げることができる。アパタイトを利用ことにより、光触媒粒子による基材の劣化を防ぐことができ、光触媒粒子の飛散、脱落を防げる。また植物性セルロースを使用することで、アパタイトの吸着能力を低下させることなく、効率よく光触媒機能を発揮させることができる。さらに塗布後は混合のエチルアルコールにより、即効の殺菌・脱臭効果がある。エチルアルコールはその後、揮発すると共に光触媒粒子により分解される。
【発明を実施するための最良の形態】
【０００６】  本発明は以上のような構成であるため、塗布直後はエチルアルコールが殺菌・脱臭を行い、数日後、光触媒が有機物を分解する働きになる。そのため塗布直後から長期間、殺菌、脱臭、防汚、防カビの効果がある。特殊なバインダーを使用せず植物性セルロースを使用することで、霧吹き等でも簡単に塗布できる。また塗りすぎや塗ムラが発生しても酢酸で簡単に剥離でき、やり直しができる。
本発明を実施するために、エアゾール缶に充填し使用することもできるが、コスト高になるので、スプレーボトルを利用する。もちろんリサイクルのスプレーボトルでもよいが、遮光性の容器が望ましい。
【図面の簡単な説明】
【０００８】
【図１】本発明の塗布直後の光触媒粒子の断面図
【図２】本発明の塗布数日後の光触媒粒子の断面図
【符号の説明】
【０００９】  （１）光触媒粒子  （２）植物性セルロース  （３）アパタイト  （４）基材
【図１】
2008095058.tif 000003
【図２】
2008095058.tif 000004
(57)【要約】      （修正有）【課題】常温で固体の不飽和ポリエステル樹脂粉末の貯蔵中のブロッキング現象を防止する技術の提供。【解決手段】常温で固体の不飽和ポリエステル樹脂粉末にハイドロタルサイト、あるいは粒子径１００ナノメーター以下の微細酸化ケイ素を存在させた樹脂組成物。ハイドロタルサイトまたは微細酸化ケイ素の添加量は多ければ多いほどブロッキング防止効果は良くなるが不飽和ポリエステル樹脂の性能に悪影響を与えるのでハイドロタルサイトは１０％まで、微細酸化ケイ素は５％までが好ましい。【選択図】なし【特許請求の範囲】
【請求項１】
常温で固体の不飽和ポリエステル樹脂粉末にハイドロタルサイトあるいは粒子径１００ナノメーター以下の微細酸化ケイ素を存在させた不飽和ポリエステル樹脂組成物
【請求項２】
請求項１においてハイドロタルサイトが不飽和ポリエステル樹脂に対して３％以上、粒子径が１００ナノメーター以下の微細酸化ケイ素が０．２％以上である。不飽和ポリエステル樹脂組成物
【発明の詳細な説明】
【技術分野】
【０００１】  本発明は不飽和ポリエステル樹脂組成物に関する。
【背景技術】
【０００２】  常温で固体の不飽和ポリエステル樹脂粉末は貯蔵中にブロッキングと称する粉末固体がひっつき塊状となる現象が発生し、使用しづらい状態になることがしばしば見られた
【発明の開示】
【０００３】  本発明は常温で固体の不飽和ポリエステル樹脂粉末の貯蔵中のブロッキング現象〈粉末の塊状化〉を防止することを目的とする。
【課題を解決するための課題】
【０００４】  本発明はかかる課題を解決するため常温で固体の不飽和ポリエステル樹脂粉末にハイドロタルサイト０．１〜１０％あるいは１００ナノメーター以下の粒子径を有する微細酸化ケイ素を０．０１〜５％        存在させることにより不飽和ポリエステル樹脂の性能を損なわずにブロッキング現象を防止し得ることを見出し本発明を完成した。
【０００５】常温で固体の不飽和ポリエステル樹脂はアルコール成分としてエチレングリコール、プロピレングリコール、ビスフェノールＡエチレンオキサイド付加物、ビスフェノールＡプロピレンオキサイド付加物、ネオペンチルグリコール、ジエチレングリコール等の２価アルコールであり二塩基性酸成分としてはマレイン酸、フマール酸、アジピン酸、イソフタル酸、テトラクロロ無水フタル酸等公知の２価アルコールと二塩基性であり、これらをエステル化した樹脂である。
【０００６】  ハイドロタルサイトは例えば堺化子工業（株）製のＨＴ−１があり、微細酸化ケイ素としては日本アエロジル（株）製のアエロジルＲ−３７４、Ｒ−２００がある。これらは単独でも総合して使用してもよい。
【０００７】  エステル化した不飽和ポリエステル樹脂の塊状物を粉砕するときハイドロタルサイト又は微細酸化ケイ素を添加し混合すれば良い
【発明の効果】
【０００８】  上記の如くハイドロタルサイトあるいは微細酸化ケイ素を不飽和ポリエステル樹脂に存在させることによりブロッキング現象を防止できる
【発明を実施するための最良の形態】
【０００９】    課題を解決するための手段で記載した通りであるがハイドロタルサイト、微細酸化ケイ素の存在量は多ければ多いほどブロッキング防止効果は良くなるが不飽和ポリエステル樹脂の性能に悪影響を与えるのでハイドロタルサイトは１０％まで、微細酸化ケイ素は５％までが好適である。
【実施例】
【００１０】  不飽和ポリエステル樹脂を使ってテストした。
Ａ（軟化点８０°）
Ｂ（軟化点９０°）
Ｃ（軟化点８０°）
Ｄ（軟化点４０°）
結果は表１、表２に示す。【００１１】＜実験１＞
１．各種試料の耐ブロッキング性効果の選定
（試験方法−Ａ）
粉砕し３００〜１５０ｕｍに篩い分けＡ樹脂粉５ｇを２０ｍｍφ円筒容器に採取、４０ｇ／ｃｍ２に加圧し室温で放置、ブロッキング状態を観察。
（試験方法−Ｂ）
Ａ同様に試料を採取した円筒容器を５０℃、３０ｍｉｎ．加湿、ブロッキング状態を観察。
２．耐熱水透明性
（試験方法）
軟質樹脂ＣＭ−２００−Ｓに各試料を３部添加し均一になるように攪拌、５ｍｍ程度の板状になる容器に移し硬化、硬化板を３分割し試験に供する。【００１２】
【表１】
2008095054.tif 000002
【００１３】＜実験２＞
１．各種試料の耐ブロッキング性効果の選定
（試験方法−Ａ）
粉砕し３００〜１５０ｕｍに篩い分けした樹脂粉５ｇを２０ｍｍφ円筒容器に採取、４０ｇ／ｃｍ２に加圧し室温で放置、ブロッキング状態を観察。
（試験方法−Ｂ）
Ａ同様に試料を採取した円筒容器を５０℃、２０ｍｉｎ．加湿、ブロッキング状態を観察。
２．耐熱水透明性
（試験方法）
軟質樹脂  ＣＭ−２００−Ｓに各試料を  ３部添加し均一になるように攪拌、硬化剤を添加し５ｍｍ程度の板状になる容器に移し硬化、効果版を３分割し試験に供する。【００１４】
【表２】
2008095054.tif 000003
(57)【要約】【課題】  環状弁座を開放した球状弁体の揺動を防止できる逆止弁を提供する。【解決手段】  本体１とプラグ２から成る弁ケーシングで入口４と弁室３と出口５と第２出口６を形成する。入口４と弁室３の間に環状弁座７を設ける。環状弁座７を開閉する弁体８を弁室３内に配置する。弁体８を環状弁座７へ付勢するコイル状ばね９を設ける。コイル状ばね９の一端の外径は弁体８の凹部内に圧入する。弁室３の内径を弁体８の外径よりも少し大径に形成して弁室３の内壁で弁体８の外周を環状弁座７の軸方向に案内する。出口５は本体１の弁体８の側部に位置し、第２出口６は本体１の弁体８の背部に位置する。弁体８は弁室３の内壁により環状弁座７の軸方向に案内され、出口５へ流下する流体によって揺動することを防止できる。【選択図】      図１
2008095893.tif 000002
【特許請求の範囲】
【請求項１】
弁ケーシングで入口と弁室と出口を形成し、入口と弁室の間に環状弁座を設け、環状弁座を開閉する弁体を弁室内に配置し、弁体を環状弁座へ付勢するばねを設けたものにおいて、弁室の内径を弁体の外径よりも少し大径に形成して弁室の内壁で弁体の外周を環状弁座の軸方向に案内し、弁ケーシングの弁体の側部に出口を形成し、弁ケーシングの弁体の背部に第２出口を形成し、ばねの一端を弁体に圧入したことを特徴とする逆止弁。
【発明の詳細な説明】
【技術分野】
【０００１】
本発明は流体配管に取り付けて、内部に設けたばね付勢弁体により、流体の入口から出口への順方向の流れは許容するが、その逆方向の流れは阻止する逆止弁に関する。
【背景技術】
【０００２】
従来のばね付勢弁体を用いた逆止弁の一例が特開昭６４−３５１８１号公報に示されている。これは、弁ケーシングで入口と弁室と出口を形成し、入口と弁室の間に環状弁座を設け、環状弁座を開閉する球状弁体を弁室内に配置し、球状弁体を環状弁座へ付勢するばねを設けたものである。
【０００３】
上記従来の逆止弁は、環状弁座を開放した球状弁体が出口へ流下する流体によって激しく揺動するために、弁室内壁に衝突して損傷したり大きな騒音を発生したりする問題点があった。
【特許文献１】特開昭６４−３５１８１号公報
【発明の開示】
【発明が解決しようとする課題】
【０００４】
解決しようとする課題は、環状弁座を開放した弁体の揺動を防止できる逆止弁を提供することである。
【課題を解決するための手段】
【０００５】
本発明は、弁ケーシングで入口と弁室と出口を形成し、入口と弁室の間に環状弁座を設け、環状弁座を開閉する弁体を弁室内に配置し、弁体を環状弁座へ付勢するばねを設けたものにおいて、弁室の内径を弁体の外径よりも少し大径に形成して弁室の内壁で弁体の外周を環状弁座の軸方向に案内し、弁ケーシングの弁体の側部に出口を形成し、弁ケーシングの弁体の背部に第２出口を形成し、ばねの一端を弁体に圧入したことを特徴とする。
【発明の効果】
【０００６】
本発明は、弁室の内壁で弁体の外周を環状弁座の軸方向に案内することにより、弁体の揺動を防止できるので、弁体が弁室内壁に衝突することがなく、弁体の損傷や騒音の発生を防止できるという優れた効果を生じる。また、ばねの一端を弁体に圧入することにより、ばねが弁体に衝突することがなく、ばねの損傷や騒音の発生を防止できるという優れた効果を生じる。また、弁ケーシングの弁体の背部に第２出口を形成することにより、弁体の背部の圧力を逃がすことができるので、弁体が環状弁座に押し戻されることがなく流量が低下しないという優れた効果を生じる。
【発明を実施するための最良の形態】
【０００７】
本発明は、弁室の内径を弁体の外径よりも少し大径に形成して弁室の内壁で弁体の外周を環状弁座の軸方向に案内し、弁ケーシングの弁体の側部に出口を形成し、弁ケーシングの弁体の背部に第２出口を形成し、ばねの一端を弁体に圧入したものである。そのため、弁体は弁室の内壁により環状弁座の軸方向に案内され、出口へ流下する流体によって揺動することを防止できる。
【実施例１】
【０００８】
上記の技術的手段の具体例を示す実施例を説明する（図１参照）。弁ケーシングは本体１にプラグ２をねじ結合して構成し、内部にほぼ円筒状の弁室３を形成する。本体１に入口４と出口５と第２出口６を形成する。出口５と第２出口６は入口４から直角方向に向けて形成する。第２出口６は対向して２つ形成する。
【０００９】
本体１の入口４の弁室３側開口端に環状弁座７を設ける。環状弁座７は入口４と同一軸上に形成する。弁室３内に弁体８を配置する。プラグ２と弁体８の間に弁体８を環状弁座７へ付勢するコイル状ばね９を設ける。コイル状ばね９の一端の外径は弁体８の凹部内に圧入する。弁体８の弁室３の内径を弁体８の外径よりも少し大径に形成して弁室３の内壁で弁体８の外周を環状弁座７の軸方向に案内する。出口５は本体１の弁体８の側部に位置し、第２出口６は本体１の弁体８の背部に位置する。
【００１０】
入口４の流体圧力が出口５と第２出口６の流体圧力及びコイル状ばね９の付勢力よりも大きくなると、弁体８がコイル状ばね９を圧縮して環状弁座７から離座し、弁室３の内壁により環状弁座７の軸方向に案内されてプラグ２側に変位する。これにより、入口４の流体が出口５に流れると共に、弁体８の外周と弁室３の内壁との間を通過した流体が第２出口６に流れる。入口４の流体圧力が出口５と第２出口６の流体圧力及びコイル状ばね９の付勢力よりも小さくなると、弁体８が弁室３の内壁により環状弁座７の軸方向に案内されて、コイル状ばね８の付勢力により入口４側に変位して環状弁座７に着座し、出口５と第２出口６から入口４への流体の逆流を防止する。
【図面の簡単な説明】
【００１１】
【図１】本発明の逆止弁の断面図。
【符号の説明】
【００１２】
１  本体
２  プラグ
３  弁室
４  入口
５  出口
６  第２出口
７  環状弁座
８  弁体
９  コイル状ばね
【図１】
2008095893.tif 000003
(57)【要約】【課題】    ホルダーを用いることなく拡径状態に保持する。【解決手段】  自由状態にあるとき、縮径しており、ホースに締結可能であり、上記自由状態において、第１のグリップと第２のグリップを互いに円周方向に接近させて、爪部と係止部を円周方向に接近させた状態では、該爪部と該係止部とは接触せず、該爪部と該係止部を円周方向に接近させた上記状態で、該爪部と該係止部とを半径方向に近接させることによって、該爪部と該係止部とが係止されて、拡径状態が保持される。【選択図】    図４
2008095780.tif 000002
【特許請求の範囲】
【請求項１】
爪部を備えた第１グリップと、該爪部と係合する係止部を備えた第２グリップとを有し、帯状のばね板を円輪状に成形することで形成されたホースクランプであって、
自由状態にあるとき、縮径しており、ホースに締結可能であり、
上記自由状態において、該第１のグリップと該第２のグリップを互いに円周方向に接近させて、該爪部と該係止部を円周方向に接近させた状態では、該爪部と該係止部とは接触せず、
該爪部と該係止部を円周方向に接近させた上記状態で、該爪部と該係止部とを半径方向に近接させることによって、該爪部と該係止部とが係止されて、拡径状態が保持される
ことを特徴とするホースクランプ。
【発明の詳細な説明】
【技術分野】
【０００１】
本発明は、ホルダーを用いることなく拡径状態に保持することができる、パイプとホースの締結等に使用されるホースクランプに関する。
【背景技術】
【０００２】
従来ホースクランプの取付を容易にするため、あらかじめ拡径保持する考案がある。従来の拡径保持方法を開示していう文献としては、特許文献１−１３等がある。
【特許文献１】特開平１０−６１８５５
【特許文献２】特開平１０−７３１９３
【特許文献３】特開平１１−２０１１１９
【特許文献４】特開２０００−１８４５９
【特許文献５】特開２０００−２９１８６８
【特許文献６】特開２０００−２９７８９３
【特許文献７】特開２００１−１２６７０
【特許文献８】特開２００１−２７３８２
【特許文献９】特開２００１−９０８８６
【特許文献１０】特開２００１−１５９４９１
【特許文献１１】特開２００１−２８０５６６
【特許文献１２】特開２００３−９０４７４
【特許文献１３】特開２００３−３０１９８２
【発明の開示】
【発明が解決しようとする課題】
【０００３】
本発明の解決しようとする課題は、ホルダーレスタイプのホースクランプの拡径保持状態からの解除を容易にすることである。
【課題を解決するための手段】
【０００４】
本発明によると、上記課題を解決するために、
爪部を備えた第１グリップと、該爪部と係合する係止部を備えた第２グリップとを有し、帯状のばね板を円輪状に成形することで形成されたホースクランプであって、
自由状態にあるとき、縮径しており、ホースに締結可能であり、
上記自由状態において、該第１のグリップと該第２のグリップを互いに円周方向に接近させて、該爪部と該係止部を円周方向に接近させた状態では、該爪部と該係止部とは接触せず、
該爪部と該係止部を円周方向に接近させた上記状態で、該爪部と該係止部とを半径方向に近接させることによって、該爪部と該係止部とが係止されて、拡径状態が保持される
ことを特徴とするホースクランプ
が提供される。
【発明の効果】
【０００５】
本発明によると、拡径保持状態から市販の工具（例えばプライヤ等）でグリップを摘むことにより、拡径保持のロックが解除されパイプとホースの締結が容易にできる。
【発明を実施するための最良の形態】
【０００６】
以下に本発明の実施形態を図に基づいて説明する。
【０００７】
拡径保持するには図２の自由（縮径）状態から第１グリップ２及び第２グリップ３を市販の工具（例えばプライヤ等）で挟み込んで両グリップ１，２を接近させる。この状態を図３に示す。この状態では第１グリップ２の爪部２ａ，２ｂと第２グリップ３の係止部３ａ，３ｂは接触しない位置関係にある。
【０００８】
この状態で第１グリップ２すなわち爪部２ａ，２ｂを押下げるか又は第２グリップ３すなわち係止部３ａ，３ｂを押上げた後、両グリップ１，２を遠ざけることにより、第１グリップ２の爪部２ａ，２ｂに第２グリップ３の係止部３ａ，３ｂを係止させることができ、ホースクランプが拡径状態に保持される。この状態を図４に示す。
【０００９】
拡径保持状態を解除するには、図４に示す拡径保持状態から第１グリップ２及び第２グリップ３を市販の工具（例えばプライヤ等）で挟み込むことにより第１グリップ２の爪部２ａ，２ｂから第２グリップ３の係止部３ａ，３ｂの係止が解除され、図３の状態となり容易にホースクランプの拡径保持状態から解除され、ホース等の締結が可能となる。
【００１０】
上記形態においては、自由状態において、第１グリップ２の爪部２ａ，２ｂが第２グリップ３の係止部３ａ，３ｂの半径方向外側に位置しているが、これとは逆に、第１グリップ２の爪部２ａ，２ｂが第２グリップ３の係止部３ａ，３ｂの半径方向内側に位置するように構成することもできる。
【図面の簡単な説明】
【００１１】
【図１】本発明のホースクランプの斜視図を示す。
【図２】本発明のホースクランプの自由（縮径）状態の正面図及び平面図を示す。
【図３】本発明のホースクランプの拡径状態の正面図及び平面図を示す。
【図４】本発明のホースクランプの拡径保持状態の正面図及び平面図を示す。
【符号の説明】
【００１２】
１  ホースクランプ
２  第１グリップ
２ａ，２ｂ  第１グリップ２の爪部
３  第２グリップ
３ａ，３ｂ  第２グリップ３の係止部
【図１】
2008095780.tif 000003
【図２】
2008095780.tif 000004
【図３】
2008095780.tif 000005
【図４】
2008095780.tif 000006
(57)【要約】【課題】グリスニップルの保護凹部に泥が詰まるおそれを防止できるグリスニップル保護装置を提供する。【解決手段】軸受部本体41と一体成形した円筒状のニップルガイド42により、グリスニップル31の周囲に、このグリスニップル31の折損保護のための保護凹部32を形成する。保護凹部32の内部に、上下端を開口した円筒形のキャップ取付筒体43の下部を嵌着する。キャップ取付筒体43の上端部に泥除けキャップ44を嵌着する。キャップ取付筒体43と泥除けキャップ44とを連結体45により連結する。【選択図】図１
2008095775.tif 000002
【特許請求の範囲】
【請求項１】
グリスニップルの周囲に形成された保護凹部と、
この保護凹部の内部に嵌着されたキャップ取付筒体と、
このキャップ取付筒体に嵌着された泥除けキャップと
を具備したことを特徴とするグリスニップル保護装置。
【請求項２】
キャップ取付筒体と泥除けキャップとを連結する連結体
を具備したことを特徴とする請求項１記載のグリスニップル保護装置。
【発明の詳細な説明】
【技術分野】
【０００１】
本発明は、グリスニップルの泥詰まりを防止するグリスニップル保護装置に関する。
【背景技術】
【０００２】
図３に示されるように、作業機械11は、機体12に搭載されたフロント作業装置13に多数の関節部およびシリンダ取付部が設けられ、これらにはグリスニップルが設けられている。
【０００３】
例えば、機体12のブラケット14にブーム15の基端を回動自在に軸支するピン16、ブーム15の先端にアーム17を回動自在に軸支するピン18、アーム17の先端にバケット19を回動自在に軸支するピン20、ブームシリンダ21の基端およびロッド先端を軸支するピン22，23、アームシリンダ24の基端およびロッド先端を軸支するピン25，26、バケットシリンダ27の基端およびロッド先端を軸支するピン28，29などの軸受部には、それぞれ図４に示されるような給脂用のグリスニップル31が設けられている。
【０００４】
これらのグリスニップル31は、図４に示されるようにグリスニップル31の折損保護のための保護凹部32の内部に設けられ、グリスニップル31の先端が保護凹部32の外部に出ないように保護されている。
【０００５】
同様にグリスニップル保護のために、グリスニップルを座ぐり凹部の内部に設け、グリスニップル先端が座ぐり凹部の外部に出ないようにしたものがある（例えば、特許文献１参照）。
【特許文献１】実開平６-８２５００号公報（第１頁、図３）
【発明の開示】
【発明が解決しようとする課題】
【０００６】
このようなグリスニップル31の保護凹部32を設けたものは、作業中、図５に示されるように保護凹部32の内部に泥33が詰まって固着し、給脂時に、グリスガンの接続を直ぐに行なうことができない問題がある。
【０００７】
本発明は、このような点に鑑みなされたもので、グリスニップルの保護凹部に泥が詰まるおそれを防止できるグリスニップル保護装置を提供することを目的とする。
【課題を解決するための手段】
【０００８】
請求項１に記載された発明は、グリスニップルの周囲に形成された保護凹部と、この保護凹部の内部に嵌着されたキャップ取付筒体と、このキャップ取付筒体に嵌着された泥除けキャップとを具備したグリスニップル保護装置である。
【０００９】
請求項２に記載された発明は、請求項１記載のグリスニップル保護装置において、キャップ取付筒体と泥除けキャップとを連結する連結体を具備したものである。
【発明の効果】
【００１０】
請求項１に記載された発明によれば、グリスニップルの保護凹部にキャップ取付筒体を介して泥除けキャップを装着できるので、グリスニップルの保護凹部に泥が詰まるおそれを泥除けキャップにより防止でき、この泥除けキャップを外してグリスニップルを直ぐに用いることができる。
【００１１】
請求項２に記載された発明によれば、連結体により泥除けキャップの紛失を防止できる。
【発明を実施するための最良の形態】
【００１２】
以下、本発明を、図１乃至図３に示された一実施の形態を参照しながら詳細に説明する。
【００１３】
図３に示された作業機械11において、作業対象物（障害物）などと干渉し易い場所にあるピン29の軸受部には、図１および図２に示されるように、軸受部本体41と一体成形された円筒状のニップルガイド42が設けられ、このニップルガイド42により、グリスニップル31の周囲に、このグリスニップル31の折損保護のための保護凹部32が形成されている。
【００１４】
この保護凹部32の内部に、上下端を開口した円筒形のキャップ取付筒体43の下部が嵌着されている。このキャップ取付筒体43の上端部に泥除けキャップ44が嵌着されている。
【００１５】
キャップ取付筒体43と泥除けキャップ44は、連結体45により連結されている。キャップ取付筒体43、泥除けキャップ44および連結体45は、合成樹脂などにより一体成形されている。
【００１６】
泥除けキャップ44の連結体45とは反対側には、泥除けキャップ44を開ける際に指先や工具などを引掛ける鍔部46が一体に成形されている。
【００１７】
次に、この実施の形態の作用効果を説明する。
【００１８】
作業中は、図２に示されるように、ニップルガイド42の内周面にキャップ取付筒体43を圧入嵌着し、このキャップ取付筒体43の上端開口部に泥除けキャップ44を圧入嵌着して、保護凹部32の開口を閉じる。
【００１９】
一方、軸受部本体41内にグリスを補給する場合は、泥除けキャップ44を外してグリスニップル31にグリスガンを接続する。
【００２０】
このように、グリスニップル31の保護凹部32にキャップ取付筒体43を介して泥除けキャップ44を装着できるので、グリスニップル31の保護凹部32に泥が詰まるおそれを防止できるとともに、給脂の必要があるときは、泥除けキャップ44を外してグリスニップル31にグリスガンを直ぐに接続できる。
【００２１】
また、連結体45により泥除けキャップ44の紛失を防止できる。さらに、軸受部本体41の表面からニップルガイド42が突出していなくても、キャップ取付筒体43を介して泥除けキャップ44を取付けることができる。
【００２２】
本発明は、作業機械11の泥が付着しやすい場所にある軸受部に好適なものであるが、この場所に限定されるものではなく、要するにグリスニップル保護構造を持つ軸受部には広く適用可能である。
【図面の簡単な説明】
【００２３】
【図１】本発明に係るグリスニップル保護装置の一実施の形態を示す斜視図である。
【図２】同上保護装置の断面図である。
【図３】同上保護装置が装着された作業機械の斜視図である。
【図４】従来のグリスニップルの保護凹部を示す斜視図である。
【図５】従来の保護凹部に泥が詰まった状態を示す斜視図である。
【符号の説明】
【００２４】
31    グリスニップル
32    保護凹部
43    キャップ取付筒体
44    泥除けキャップ
45    連結体
【図１】
2008095775.tif 000003
【図２】
2008095775.tif 000004
【図３】
2008095775.tif 000005
【図４】
2008095775.tif 000006
【図５】
2008095775.tif 000007
(57)【要約】【課題】  機関内で燃料と空気の混合気が完全燃焼するように気化器の空気吸入口と同型の腐食しない薄い銅板等に切り込みを入れて４５度位折り曲げて作製した空気渦発生装置を設けた空気渦発生器を提供する。【解決の手段】  気化器の空気吸入口に、空気渦発生装置を設けた空気渦発生器を特徴とする。【選択図】図１
2008095696.tif 000002
【特許請求の範囲】
【請求項１】
気化器に、気化器の空気吸入口と同型に作製した空気渦発生装置を設ける。
以上の構成よりなる空気渦発生器。
【発明の詳細な説明】
【技術分野】
【０００１】この発明は、気化器の空気吸入口に空気渦発生装置を設けた空気渦発生器に関するものである。
【背景技術】
【０００２】従来、気化器は燃料と空気との混合を自然に行っていた。
【発明の開示】
【発明が解決しようとする課題】
【０００３】これは、次のような欠点があった。
従来、気化器は燃料と空気との混合が完全ではないために不完全燃焼も起きた。
本発明は、以上のような欠点をなくすためになされたものである。
【課題を解決するための手段】
【０００４】気化器に、気化器の空気吸入口と同型に作製した空気渦発生装置を設ける。
本発明は、以上の構成よりなる空気渦発生器である。
【発明の効果】
【０００５】空気渦発生器を付けることにより完全燃焼するし燃費を改善できる。薄い物で作製した空気渦発生器を取り付けるだけなので、機関の改造は何も必要としない。
【発明を実施するための最良の形態】
【０００６】以下、本発明を実施するための最良の形態について説明する。
気化器の空気吸入口に、腐食しない薄い銅板等に切り込みを入れて、４５度位折り曲げ作製した空気渦発生器を固定する。
本発明は、以上のような構造である。
【図面の簡単な説明】
【０００７】
【図１】  本発明の平面図である。
【符号の説明】
【０００８】  １  空気渦発生器
【図１】
2008095696.tif 000003
(57)【要約】【課題】従来は、ネクタイは日常使用する色、模様、柄と通夜、法事等で使用する色、模様、柄は別々で２本必要であった。【解決手段】１本のネクタイに片面に通常の色。模様、柄の布で、もう片面に通夜、法事用の色、模様、柄の布で縫製する。。【選択図】図１
2008095263.tif 000002
【特許請求の範囲】
【請求項１】
同じ１本のネクタイで片側は日常使用の様々な色、模様の柄で、もう一方の片側は葬式及び法事用に使う色模様、柄で、通常使用と法事使用兼用のネクタイ。
【発明の詳細な説明】
【技術分野】
【０００１】この発明は、１本のネクタイに、片面は日常に使用する色、模様の柄で、もう一方の片面は葬儀及び法事用に使用する色、模様の柄で、１本のネクタイで、昼間の仕事や外出先から通夜、及び告別式などの法事に出席する際、着用出来る極めて便利なリバーシブルネクタイ。
【背景技術】
【０００２】従来、訃報を受けたり法事が有った場合、日常使用するネクタイの他に法事用のネクタイも用意し、仕事や外出する際、法事に参加する法事用のネクタイも用意し法事に参加する時に交換しなければならなかった。また時には持参を忘れたり不便が多かった。
【発明の開示】
【発明が解決しようとする課題】
【０００３】従来、訃報を受けたり法事が有った場合、日常使用するネクタイの他に法事用のネクタイも持参し仕事など外出する際、通常使用しているネクタイの他に法事用のネクタイ用意しなければならず、法事用のネクタイを忘れる事も有り、大変不便が多かったが、この発明の法事用兼用のネクタイ１本で、仕事や外出先からの法事出席に礼を失する事無く装う事の出来るネクタイ。
【課題を解決するための手段】
【０００４】同じ１本のネクタイの表裏の片面に、日常使用する模様の柄を付け、更に片側の面に通夜及び法事用の模様の柄を付け、用途に応じ両面を使い分ける事が出来る。
【発明の効果】
【０００５】従来、訃報を受けたり、仕事や外出した先から通夜などの法事に出席する際
日常使用するネクタイの他に法事用のネクタイも持参しなければらなかった。
この発明した１本のネクタイの片面は日常使用する色、模様の柄で、もう一方の片面は法事用の色、模様の柄になっている為、１本のネクタイのみで通常の装いと法事用の装いが出来る極めて便利なネクタイである。
【発明を実施する為の最良の形態】
【０００６】以下、本発明の実施例について説明する。
１本のネクタイの片面に、日常使用する色、模様、柄（１）で作成し、もう片面に通夜、法事用の色、模様、柄（２）で作成し、日常用と通夜、法事用の兼用のネクタイである。
【図面の簡単な説明】
【０００７】
【図１】本発明の全体図である。
【図２】本発明のネクタイの法事用を示した図である。
【符号の説明】
【０００８】１  通常使用時の一般的な色、模様、柄の一例である、
２  法事の際の色、模様、柄の一例である。
【図１】
2008095263.tif 000003
【図２】
2008095263.tif 000004
(57)【要約】【課題】  本発明の目的は顔の凹凸に沿ってきれいに洗顔できる事、手袋の脱着が容易で使用時手から外れない事、顔への刺激が少ない事を兼ね備えた洗顔用手袋を提供することにある。【解決手段】  前記した課題は袋状になった底が３つ以上に区分された細めの繊維からなる生地を使用した手袋であって、開口部辺りにつけた伸縮性紐を引く事によって、開口部が瞬時に閉まるという特徴を持つ手袋によって解決できる。【選択図】    図２
2008095243.tif 000002
【特許請求の範囲】
【請求項１】
袋状になった底が３つ以上に区分された、細めの繊維からなる生地を使用した手袋であって、開口部辺りにつけた伸縮性紐を引く事によって、開口部が瞬時に閉まるという特徴を持つ手袋。
【請求項２】
基布が少なくとも横方向に伸縮性を持ち、其の生地を構成する繊維一本の断面の直径が、１５ミクロン以下であり、糸を構成する繊維本数が５００本以下である請求項１記載の手袋。
【請求項３】
手袋とその手袋の開口部の一部に設けられた、２ｃｍ以上の深さを有するポケットからなり、其のポケットの開口部も伸縮性紐で簡単に閉まり、そのポケットにより本体を其の上から被えるという機能を持つ、請求項１または請求項２記載の手袋。
【発明の詳細な説明】
【技術分野】
【０００１】
本発明は、手袋に関し、特に洗顔などに適した手袋に関するものである。
【背景技術】
【０００２】
従来、洗顔は素手で洗う事、またはタオルや手ぬぐいなどの平坦な布で洗う事が一般的であった。しかし、近年になって洗顔をしやすくする事と、顔を痛めない方法として手袋状のもので洗顔する事が提案されている。マイクロファイバーから成るミトン型洗顔用手袋が提案されている（特許文献１、特許文献２）。
しかしながらこれらの提案では、手袋の上部のしまりには何ら配慮されていない為に、使用時に開口部が邪魔になる事、手袋が外れやすい事、及び開口部から多量の洗液が入り込んでしまうという不具合があった。
【０００３】
【特許文献１】特開２００５−２４０２５４
【特許文献２】特開２００５−４２２８２
【発明の開示】
【発明が解決しようとする課題】
【０００４】
本発明の目的は顔の凹凸に沿ってきれいに洗顔できる事、手袋の脱着が容易で使用時手から外れない事、顔への刺激が少ない事、を兼ね備えた洗顔用手袋を提供する事にある。
【課題を解決するための手段】
【０００５】
本発明の目的は、袋状になった底が３つ以上に区分された細めの繊維からなる生地を使用した手袋であって、開口部辺りにつけた伸縮性紐を引く事によって、開口部が瞬時に閉まるという特徴を持つ手袋によって達成される。
【発明の効果】
【０００６】
まず、構成する繊維一本の断面の直径が１５ミクロン以下の細さの、少なくとも横方向に伸縮性を持つ生地という事だけでも、これを使っての払拭効果は十分である。さらに、これを手袋状にしてその中に五本の指が入るようにした上に、手首辺りを絞り本体を装着した手に固定できる事で、手や指の動きと基布が一体化し、さほど力をいれず時間をかけずとも、細部にわたってその払拭効果を抜群に発揮するものである。
【発明を実施するための最良の形態】
【０００７】
本発明でいう袋状とは、正方形を含む長方形をしており、一方は開放され残りの三方は閉じられている袋状物という事で、本体の開口部とはその開放されている一辺をいい、図１に示す手の挿入部である。開口部辺りにつけた伸縮性紐とは、２００パーセント伸ばしても破断しないで伸長し、力を解放するとほぼ完全に元の長さに戻る弾性体である。特に素材を限定するものではないが、例えばゴム紐、特に繊維で被覆されてなるゴム紐、中でも４コールゴムまたは６コールゴム紐が特に好ましく適用できる。さらに、開口部が瞬時に閉まるという事は、紐の一部をある程度の力で引っ張った後、紐を解放することによって開口部が閉まり、開口部はそのまま閉まった状態を保持する事を言う。伸縮性紐の断面形状は長方形の方が、紐と手袋の紐通し部分との間に適度の抵抗があるためにより好ましい。
【０００８】
細めの繊維とは、基布を構成する一本の糸が２０ミクロン以下の断面の直径のものを言い、好ましくは１５ミクロン以下で、より好ましくは１０ミクロン以下のものを言う。基布の横方向の伸縮性とは、手袋の横方向、つまり手の指に直行する方向に長い、５センチ幅の長方形の生地に5０グラムの力を加えた時、破断することなく１０パーセント以上伸びる事を言う。素材は特に特定はしないが、価格の面では合成繊維、特にポリエステルが良く、または伸縮性の面からではナイロンが良く、また肌触りの点も考慮すると天然素材のシルクが好ましい。伸縮性を有する基布とする為には編地が好ましく適用でき、中でも経方向には伸縮性が少なく緯方向に伸縮性を有する経編地が好ましく適用できる。また、伸縮性を付与する手段としては織組織や編組織によって付与する事ができるが、繊維の形態、例えば仮撚加工糸を使用することもできる。他方、払拭性を向上する方法として繊維の断面形状を非円形とする事も有効な手段である。
【０００９】
手袋の全体の形は、正方形を含む単なる長方形でも良いが、底の両端に丸みをつける事によって、角が取れて顔に当たった時でも刺激を軽減できるので好ましい。
本発明の他の特徴は、手袋の開口部の一部にポケットを有している事である。このポケットは手袋の開口部の一部、つまり図５に示すように手袋の開口部付近の一部に、深さが２ｃｍ以上のポケットを取り付ける事が好ましい。ポケットの深さは好ましくは３ｃｍ以上、特に好ましくは５ｃｍ以上である。他方、ポケットの幅は手袋の幅に対して０．８〜１．３倍程度であれば良いが、好ましくは手袋の幅にほぼ相当する長さである事が好ましい。更に其のポケットの開口部も伸縮性紐で簡単に閉まり、それにより本体を其の上から被える事で、洗顔以外の用途においても、払拭機能をさらに向上できるという特徴を兼ね備える。
【産業上の利用可能性】
【００１０】
本発明の手袋は、広く清掃用途に使用する事ができるが、特に洗顔用に好ましく使用することができる。  
【図面の簡単な説明】
【００１１】
【図１】本発明の手袋を手にはめた時の背面図
【図２】本発明の手袋を手にはめ、伸縮性紐を引き、手首に固定した時の背面図
【図３】ポケットのついた本発明を、手にはめた時の正面図
【図４】ポケットのついた本発明を、手にはめた時の背面図
【図５】ポケットのついた本発明を、手にはめた時の側面図
【図６】ポケットのついた本発明を、手にはめ、さらにポケットをその本体に被せた時の背面図
【符号の説明】
【００１２】
１  ワイピンググローブ本体
２  ポケット
３  手
１１  手首部分用伸縮性紐
１２  開口部      
２１  ポケット用伸縮性紐
【図１】
2008095243.tif 000003
【図２】
2008095243.tif 000004
【図３】
2008095243.tif 000005
【図４】
2008095243.tif 000006
【図５】
2008095243.tif 000007
【図６】
2008095243.tif 000008